(57)【要約】【課題】  情報の欠落を防ぎユーザの快適な視聴を妨げない映像再生制御システムを提供すること。【解決手段】  本発明にかかる文字情報の表示方法は、映像情報に多重化されている文字情報のデコード開始を決定するステップと、文字情報のデコードを開始するステップと、デコードされた文字情報の表示開始を決定するステップと、デコードされた文字情報を表示するステップと、映像情報の音声出力の消音を決定するステップと、映像情報の音声出力を消音するステップと、映像情報とは異なる第２の情報の音声を出力するステップとを有するものである。【選択図】  図１
2006019783.tif 000002
【特許請求の範囲】
【請求項１】
再生中の映像情報の音声の消音を決定するステップと、
前記消音の決定に応じて前記映像情報に多重化されている文字情報の表示を実行するステップと、
前記文字情報が表示されてから一定期間経過後に前記音声の消音を開始するステップとを有する映像再生制御方法。
【請求項２】
前記音声の消音の決定に応じて前記映像情報に多重化されている文字情報のデコードを開始するステップを更に有する請求項１記載の映像再生制御方法。
【請求項３】
文字情報が多重化されている映像情報の映像再生制御方法であって、
消音且つ前記文字情報の表示状態で再生されている映像情報の音声の復帰を決定するステップと、
前記復帰の決定に応じて前記映像情報の音声を復帰するステップと、
前記音声が復帰されてから一定期間経過後に前記文字情報の表示状態を解除するステップとを有する映像再生制御方法。
【請求項４】
再生中の映像情報の音声の音量の低減を決定するステップと、
前記音量の低減の決定に応じて前記映像情報に多重化されている文字情報の表示を実行するステップと、
前記文字情報が表示されてから一定期間経過後に前記音声の音量の低減を開始するステップとを有する映像再生制御方法。
【請求項５】
前記音声の音量の低減の決定に応じて前記映像情報に多重化されている文字情報のデコードを開始するステップを更に有する請求項４記載の映像再生制御方法。
【請求項６】
文字情報が多重化されている映像情報の映像再生制御方法であって、
音量低減且つ前記文字情報の表示状態で再生されている映像情報の音声の復帰を決定するステップと、
前記復帰の決定に応じて前記映像情報の音声を復帰するステップと、
前記音声が復帰されてから一定期間経過後に前記文字情報の表示状態を解除するステップとを有する映像再生制御方法。
【請求項７】
文字情報が多重化されている映像情報の音声から他の情報の音声への切り換えを決定するステップと、
前記切り換えの決定に応じて前記映像情報に多重化されている文字情報の表示を実行するステップと、
前記文字情報が表示されてから一定期間経過後に前記映像情報の音声から、他の情報の音声へ切り換えるステップとを有する映像再生制御方法。
【請求項８】
前記音声の切換の決定に応じて前記映像情報に多重化されている文字情報のデコードを開始するステップを更に有する請求項７記載の映像再生制御方法。
【請求項９】
文字情報が多重化されている映像情報の音声以外の他の情報の音声から前記映像情報の音声への切り換えを決定するステップと、
前記切り換えの決定に応じて前記切り換えを実行するステップと、
前記切り換えが実行されてから一定期間経過後に前記文字情報の表示状態を解除するステップとを有する映像再生制御方法。
【請求項１０】
前記文字情報の表示状態の解除の後に前記映像情報に多重化されている文字情報のデコードを終了するステップを更に有する請求項３又は請求項６又は請求項９記載の映像再生制御方法。
【請求項１１】
各ステップにおいて常に前記映像情報に多重化されている文字情報のデコードを行なっている事を特徴とする請求項１又は請求項３又は請求項４又は請求項６又は請求項７又は請求項９記載の消音及び字幕表示の制御方法。
【請求項１２】
再生中の映像情報の音声の消音を決定する手段と、
前記消音の決定に応じて前記映像情報に多重化されている文字情報の表示を実行する手段と、
前記文字情報が表示されてから一定期間経過後に前記音声の消音を開始する手段とを有する映像再生制御システム。
【請求項１３】
文字情報が多重化されている映像情報の映像再生制御システムであって、
消音且つ前記文字情報の表示状態で再生されている映像情報の音声の復帰を決定する手段と、
前記復帰の決定に応じて前記映像情報の音声を復帰する手段と、
前記音声が復帰されてから一定期間経過後に前記文字情報の表示状態を解除する手段とを有する映像再生制御システム。
【請求項１４】
再生中の映像情報の音声の音量の低減を決定する手段と、
前記音量の低減の決定に応じて前記映像情報に多重化されている文字情報の表示を実行する手段と、
前記文字情報が表示されてから一定期間経過後に前記音声の音量の低減を開始する手段とを有する映像再生制御システム。
【請求項１５】
文字情報が多重化されている映像情報の映像再生制御システムであって、
音量低減且つ前記文字情報の表示状態で再生されている映像情報の音声の復帰を決定する手段と、
前記復帰の決定に応じて前記映像情報の音声を復帰する手段と、
前記音声が復帰されてから一定期間経過後に前記文字情報の表示状態を解除する手段とを有する映像再生制御システム。
【請求項１６】
文字情報が多重化されている映像情報の音声から他の情報の音声へ出力させる音声の切り換えを決定する手段と、
前記切り換えの決定に応じて前記映像情報に多重化されている文字情報の表示を実行する手段と、
前記文字情報が表示されてから一定期間経過後に前記映像情報の音声から、他の情報の音声へ切り換える手段とを有する映像再生制御システム。
【請求項１７】
文字情報が多重化されている映像情報の音声以外の他の情報の音声から前記映像情報の音声への切り換えを決定する手段と、
前記切り換えの決定に応じて前記切り換えを実行する手段と、
前記切り換えが実行されてから一定期間経過後に前記文字情報の表示状態を解除する手段とを有する映像再生制御システム。
【発明の詳細な説明】
【技術分野】
【０００１】
本発明は字幕付き映像情報を再生する分野において、特に字幕表示と音声ミュートを連動させる機能を有するＡＶシステムに関する。
【背景技術】
【０００２】
近年、車載のテレビやＤＶＤの普及が急激に進んでいる。また飛行機や列車等に個人用モニタを搭載して映画等を放送するサービスもあり、移動しながらテレビやＤＶＤを楽しむスタイルが増えつつある。
【０００３】
従来のモニタに備えられている機能の一つに、消音機能がある。これは音声出力のある状態でモニタを見ているときに、使用者が一時的に音声出力レベルを最小レベル（無音状態）に切り換えるための機能である。このような機能はモニタ本体に設けられたボタンやリモコン送信器に設けられたボタンで操作するものであり、例えばテレビを見ているときに電話をする場合や、会話をする場合に一時的に音が邪魔となる時に用いる。
【０００４】
また、上記のような車載のテレビやＤＶＤ、並びに飛行機や列車等に搭載された個人用のモニタの場合、様々な要因で強制的に消音を行う場合がある。例えば車載ＴＶおよびＤＶＤの場合ではカーナビゲーションシステムによる音声案内を行うタイミングや、ハンズフリー携帯電話の通話中であり、飛行機や列車等に搭載されたモニタの場合では乗務員による業務放送を行うタイミングで消音を行う。これらの消音は必要があるために行われるものであるが、消音期間中ユーザは映像と音声が一致しない状況になり、快適な視聴が妨げられてしまう。
【０００５】
上記の問題を解決手段として、消音状態の場合映像情報に多重化されている文字信号（例えば字幕等）を表示する技術が例えば特許文献１等に記載されている。図１５は従来の字幕表示制御システムの例を表す図である。図１５によると、従来の字幕表示制御システムは主に３つの部分からなる。１つ目は音声に関係する部分であり、テレビやＤＶＤ等の映像情報の音声信号を入力する音声信号入力端子１、入力された音声信号を音量コントロール回路２ａ及び音声消音回路２ｂにより処理する音声信号処理回路２、スピーカー４に音声を出力させる音声出力回路３からなる。
【０００６】
２つ目は映像に関係する部分であり、テレビやＤＶＤ等の映像信号入力端子５、映像信号に多重化された文字信号を取得する文字信号抜取回路６、文字信号抜取回路６で抜き取った文字信号をデコードするデコーダ回路７、デコーダ回路７によりデコードした情報を実際に表示する信号に変換する表示回路８、表示回路８の信号元の映像信号に合成するスーパーインポーズ回路９からなる。
【０００７】
３つ目は音声関連部及び映像関連部各々の動作及び全体を制御する部分であり、キー入力等によってユーザによる操作を行う操作部１０、操作部１０からの操作により音量コントロール回路２ａ及び音声消音回路２ｂへ、それぞれ音量の調節及び音声の消音の制御を行う音声制御回路１１、音声制御回路１１により消音が行われたことを検出する消音検出回路１２及び消音検出回路１２による消音の検出を受けて表示回路８へ字幕表示の制御を行う字幕制御回路１３からなる。
【０００８】
操作部１０は通常はキーやリモコン等の物理的なスイッチであり、ユーザが自らの意志において何時でも音量のコントロール及び消音のコントロールを行うことができる。音声制御回路１１では操作部１０からの指示を受けて音声信号処理回路２の動作を制御する。消音を実際に行う方式によって音量コントロール回路２ａ及び音声消音回路２ｂの制御方法は様々である。消音検出回路１２は音声制御回路１１が消音動作を実行したことを検出して、字幕制御回路１３に字幕表示を行う指示を出す。
【０００９】
字幕制御回路１３は消音検出回路１２からの指示を受けてデコーダ回路７、表示回路８、スーパーインポーズ回路９に、それぞれ文字信号のデコード開始、デコードした文字信号を文字映像信号に変換する処理の開始、変換された文字映像信号を元の画面に合成する処理の開始を指示する。また、文字多重信号放送の場合通常の字幕情報とは異なる別の文字情報が存在している。音声消音時表示する文字情報は字幕情報に限定するため、操作部１０は字幕制御回路１３を制御し、字幕制御回路１３はデコーダ回路７にデコードする情報を字幕情報に限るよう指示を出す。
【００１０】
図１６は従来の消音動作の例を表すフローチャートである。図１６によると、操作部１０に消音開始の指示が入ると（Ｓ１０１）、操作部１０は音声制御回路１１に消音開始を指示し、更に字幕制御回路１３を制御してデコーダ回路７がデコードする種類の文字情報を字幕に指定させる（Ｓ１０２）。消音開始の命令を受け取った音声制御回路１１は音量コントロール回路２ａに音量を最小にするよう指示する（Ｓ１０３）。音量が最小になった時点で音声制御回路１１が音声消音回路２ｂに消音オンを指示し消音が実行されると共に、消音検出回路１２は音声制御回路１１からの消音オンの指示を検出する（Ｓ１０４）。
【００１１】
消音を検出した消音検出回路１２は字幕制御回路１３に字幕表示の開始を指示する（Ｓ１０５）。字幕表示の開始指示を受け取った字幕制御回路１３は、デコーダ回路７、表示回路８及びスーパーインポーズ回路９に、それぞれ文字信号のデコード開始、デコードした文字信号を文字映像信号へ変換する処理の開始、変換された文字映像信号を元の画面に合成する処理の開始を指示する（Ｓ１０６）。以上の処理により、消音の開始が開始されると共に音声に代わる情報として画面に字幕が表示される。
【００１２】
図１７は従来の消音解除動作の例を表すフローチャートである。図１７によると、操作部１０に消音解除の指示が入ると（Ｓ１１１）、操作部１０は音声制御回路１１に消音終了を指示し、更に字幕制御回路１３を制御してデコーダ回路７がデコードする種類の文字情報を字幕指定から解除させる（Ｓ１１２）。消音解除の命令を受け取った音声制御回路１１は音声消音回路２ｂに消音オフを指示し、音声消音回路２ｂは消音を解除すると共に、消音検出回路１２は音声制御回路による消音オフの指示を検出する（Ｓ１１３）。消音オフの指示を検出した消音検出回路１２は字幕制御回路１３に字幕表示の終了を指示する（Ｓ１１４）。
【００１３】
字幕表示の終了指示を受け取った字幕制御回路１３は、デコーダ回路７、表示回路８、スーパーインポーズ回路９に、それぞれ文字信号のデコード停止、デコードした文字信号を文字映像信号へ変換する処理の停止、変換された文字映像信号を元の画面に合成する処理の停止を指示する（Ｓ１１５）。更に音声制御回路１１が音量コントロール回路２ａを制御し、音量を元に戻させる（Ｓ１１６）。以上の処理により、字幕表示及び消音状態が解除される。
【００１４】
上記に例示した従来技術はテレビジョン受像機等で文字多重放送を受信している際、手動によって消音のオンオフを切り換えるものであり、本発明とはその性質を異にするものである。
【特許文献１】特開平７−１２３３７６号公報
【発明の開示】
【発明が解決しようとする課題】
【００１５】
例示した従来技術を、先に述べた車載ＴＶおよびＤＶＤにおいてカーナビゲーションシステムによる音声案内を行うタイミングで消音を行う場合や、飛行機や列車等に搭載されたモニタの視聴中に乗務員による業務放送を行うタイミングで消音を行う場合、すなわち消音を開始するタイミングをユーザが任意に決定できない場合に適用すると、ユーザが取得する情報に不整合が生じる。画像はそのままであるが音声は画像と無関係であるため、音声案内、業務放送等の前後で音声のつながりが不鮮明となり、情報に欠落が生じてしまう。
【００１６】
図１８は「本日は晴天なり」という音声情報に同様の文字情報が多重化されている映像情報について、例示した従来技術を適用した場合の、実際に再生される音声及び画面に表示される文字情報の時間経過による変化の例を示したタイミングチャートで、情報が欠落した例を示している。ここで適用する例は先に述べた車載ＴＶやＤＶＤ、もしくは飛行機や列車等に搭載されたモニタについてであり、操作部１０のミュート指示を行うのはユーザではなく、カーナビゲーションシステムによる音声案内及び飛行機や列車の乗務員による業務放送のタイミングであって、ユーザには制御できないものである。
【００１７】
図１８（ａ）が映像情報に記録されている音声及び文字情報であり、ほぼ同じ内容の音声情報と文字情報が記録されている。一般に、ほぼ同じ内容と言っても文字情報の方が音声の情報に比べて情報量が少ないために、字幕を表示する期間と音声を再生している期間を比べると字幕を表示している期間の方が短い。
【００１８】
ユーザがこの映像情報から「本日は晴天なり」という情報を正確に得るためには、「本日は晴天なり」という音声がすべて再生されるか、内容が確認できるだけの十分な期間に亘って文字情報が字幕として表示されるかの、どちらかが必要となる。ここで、図１８（ｂ）のようにタイミングＴ１で消音が実行された場合について、例示した従来技術でどのようになるかを検証する。
【００１９】
タイミングＴ１で消音を開始すると、再生される音声は「ほんじつはせいて」までであり、「んなり」が欠けるため「本日は晴天なり」という情報を完全に得ることはできない。一方、消音時に情報を補完するための字幕はタイミングＴ１では既に表示が終了している。そのため、消音が開始されても字幕が表示されないこととなり、字幕から情報を補完することができない。よって「本日は晴天なり」という情報を正確に得ることができないこととなる。
【００２０】
消音を開始するタイミングだけでなく、消音を終了するタイミングも同様に情報欠落の原因となり得る。図１９は元々消音状態であり、タイミングＴ２で消音を終了した場合に情報が欠落する例を示している。図１８と同様に「本日は晴天なり」という音声情報に同様の文字情報が多重化されている。但し、図１９（ａ）に示すように、字幕を表示するタイミングは音声の再生が終了した後である。このような映像情報は実行中継文字放送等でよく見られる。図１８の場合と同様に、ユーザがこの映像情報から「本日は晴天なり」という情報を正確に得るためには、「本日は晴天なり」という音声がすべて再生されるか、内容が確認できるだけの十分な期間に渡って文字情報が字幕として表示されるかの、どちらかが必要となる。
【００２１】
タイミングＴ２で消音を終了した場合にどうなるかを図１９（ｂ）を用いて検証する。タイミングＴ２の時点では図１９（ｂ）に示す通り、音声としての「ほんじつはせいてんなり」の再生は既に終了しているので、音声から「本日は晴天なり」という情報を得ることはできない。一方、Ｔ２のタイミングでは未だ字幕表示の開始前のタイミングである。タイミングＴ２で消音を終了してしまうと、その後の「本日は晴天なり」という字幕は表示されないので、字幕からも「本日は晴天なり」という情報を得ることはできない。
【００２２】
このように、従来の消音及び字幕の表示方法及び装置では、消音を行うタイミングによって情報が欠落してしまう場合があった。本発明はこのような問題点を解決するためになされたものであり、情報の欠落を防ぎユーザの快適な視聴を妨げない映像再生制御システムを提供することを目的とする。
【課題を解決するための手段】
【００２３】
本発明にかかる第１の映像再生制御方法は、再生中の映像情報の音声の消音を決定するステップと、前記消音の決定に応じて前記映像情報に多重化されている文字情報の表示を実行するステップと、前記文字情報が表示されてから一定期間経過後に前記音声の消音を開始するステップとを有するものである。このような構成により、消音が実行される前から字幕を表示させることができ、情報の欠落を防ぎユーザの快適な視聴を妨げない映像再生制御システムを提供することができる。
【００２４】
ここで、前記音声の消音の決定に応じて前記映像情報に多重化されている文字情報のデコードを開始するステップを更に有してもよい。これにより、必要な時のみ文字情報のデコードを行なわせる事ができる。
【００２５】
本発明にかかる第１の映像再生制御方法の別の機能は、文字情報が多重化されている映像情報の映像再生制御方法であって、消音且つ前記文字情報の表示状態で再生されている映像情報の音声の復帰を決定するステップと、前記復帰の決定に応じて前記映像情報の音声を復帰するステップと、前記音声が復帰されてから一定期間経過後に前記文字情報の表示状態を解除するステップとを有するものである。このような構成により、消音が解除された後も一定期間字幕を表示させることができ、情報の欠落を防ぎユーザの快適な視聴を妨げない映像再生制御システムを提供することができる。
【００２６】
本発明にかかる第２の映像再生制御方法は、再生中の映像情報の音声の音量の低減を決定するステップと、前記音量の低減の決定に応じて前記映像情報に多重化されている文字情報の表示を実行するステップと、前記文字情報が表示されてから一定期間経過後に前記音声の音量の低減を開始するステップとを有するものである。このような構成により、音量の低減が実行される前から字幕を表示させることができ、情報の欠落を防ぎユーザの快適な視聴を妨げない映像再生制御システムを提供することができる。
【００２７】
ここで、前記音声の音量の低減の決定に応じて前記映像情報に多重化されている文字情報のデコードを開始するステップを更に有してもよい。これにより、必要な時のみ文字情報のデコードを行なわせる事ができる。
【００２８】
本発明にかかる第２の映像再生制御方法の別の機能は、文字情報が多重化されている映像情報の映像再生制御システムであって、音量低減且つ前記文字情報の表示状態で再生されている映像情報の音声の復帰を決定する手段と、前記復帰の決定に応じて前記映像情報の音声を復帰する手段と、前記音声が復帰されてから一定期間経過後に前記文字情報の表示状態を解除する手段とを有するものである。このような構成により、音量の低減が解除された後も一定期間字幕を表示させることができ、情報の欠落を防ぎユーザの快適な視聴を妨げない映像再生制御システムを提供することができる。
【００２９】
本発明にかかる第３の映像再生制御方法は、文字情報が多重化されている映像情報の音声から他の情報の音声への切り換えを決定するステップと、前記切り換えの決定に応じて前記映像情報に多重化されている文字情報の表示を実行するステップと、前記文字情報が表示されてから一定期間経過後に前記映像情報の音声から、他の情報の音声へ切り換えるステップとを有するものである。このような構成により、２つの音声出力系統を１つにすることができると共に、音声出力が他の情報の音声へ切り換えられる前から字幕を表示させることができ、情報の欠落を防ぎユーザの快適な視聴を妨げない映像再生制御システムを提供することができる。
【００３０】
ここで、前記音声の切換の決定に応じて前記映像情報に多重化されている文字情報のデコードを開始するステップを更に有してもよいこれにより、必要な時のみ文字情報のデコードを行なわせる事ができる。
【００３１】
本発明にかかる第３の映像再生制御方法の別の機能は、文字情報が多重化されている映像情報の音声以外の他の情報の音声から前記映像情報の音声への切り換えを決定するステップと、前記切り換えの決定に応じて前記切り換えを実行するステップと、前記切り換えが実行されてから一定期間経過後に前記文字情報の表示状態を解除するステップとを有するものである。このような構成により、２つの音声出力系統を１つにすることができると共に、音声出力が映像情報の音声へ切り換えられた後も一定期間字幕を表示させることができ、情報の欠落を防ぎユーザの快適な視聴を妨げない映像再生制御システムを提供することができる。
【００３２】
また、前記文字情報の表示状態の解除の後に前記映像情報に多重化されている文字情報のデコードを終了するステップを更に有してもよい。これにより、必要なときのみ文字情報のデコードを行なわせる事ができる。
【００３３】
もしくは、各ステップにおいて常に前記映像情報に多重化されている文字情報のデコードを行なっていてもよい。これにより、デコードによる文字情報表示の遅延を防ぐ事ができる。
【００３４】
他方、本発明にかかる第１の映像再生制御システムは、再生中の映像情報の音声の消音を決定する手段と、前記消音の決定に応じて前記映像情報に多重化されている文字情報の表示を実行する手段と、前記文字情報が表示されてから一定期間経過後に前記音声の消音を開始する手段とを有するものである。このような構成により、音声の消音が実行される前から字幕を表示させる事ができ、情報の欠落を防ぎユーザの快適な視聴を妨げない映像再生制御システムを提供することができる。
【００３５】
本発明にかかる第１の映像再生制御システムの別の機能は、文字情報が多重化されている映像情報の映像再生制御システムであって、消音且つ前記文字情報の表示状態で再生されている映像情報の音声の復帰を決定する手段と、前記復帰の決定に応じて前記映像情報の音声を復帰する手段と、前記音声が復帰されてから一定期間経過後に前記文字情報の表示状態を解除する手段とを有するものである。このような構成により、消音が解除された後も一定期間字幕を表示させることができ、情報の欠落を防ぎユーザの快適な視聴を妨げない映像再生制御システムを提供することができる。
【００３６】
本発明にかかる第２の映像再生制御システムは、再生中の映像情報の音声の音量の低減を決定する手段と、前記音量の低減の決定に応じて前記映像情報に多重化されている文字情報の表示を実行する手段と、前記文字情報が表示されてから一定期間経過後に前記音声の音量の低減を開始する手段とを有するものである。このような構成により、音量の低減が実行される前から字幕を表示させることができ、情報の欠落を防ぎユーザの快適な視聴を妨げない映像再生制御システムを提供することができる。
【００３７】
本発明にかかる第２の映像再生制御システムの別の機能は、文字情報が多重化されている映像情報であって、音量低減状態で且つ前記文字情報の表示が実行されている状態で再生されている映像情報の音声の復帰を決定する手段と、前記音声の復帰の決定があり次第前記映像情報の音声を復帰する手段と、前記映像情報の音声が復帰されてから一定期間経過後に前記映像情報の文字情報の表示を解除する手段とを有するものである。このような構成により、音量の低減が解除された後も一定期間字幕を表示させることができ、情報の欠落を防ぎユーザの快適な視聴を妨げない映像再生制御システムを提供することができる。
【００３８】
本発明にかかる第３の映像再生制御システムは、文字情報が多重化されている映像情報の音声から他の情報の音声へ出力させる音声の切り換えを決定する手段と、前記切り換えの決定に応じて前記映像情報に多重化されている文字情報の表示を実行する手段と、前記文字情報が表示されてから一定期間経過後に前記映像情報の音声から、他の情報の音声へ切り換える手段とを有するものである。このような構成により、２つの音声出力系統を１つにすることができると共に、音声出力が他の情報の音声へ切り換えられる前から字幕を表示させることができ、情報の欠落を防ぎユーザの快適な視聴を妨げない映像再生制御システムを提供することができる。
【００３９】
本発明にかかる第３の映像再生制御システムの別の機能は、文字情報が多重化されている映像情報の音声以外の他の情報の音声から前記映像情報の音声への切り換えを決定する手段と、前記切り換えの決定に応じて前記切り換えを実行する手段と、前記切り換えが実行されてから一定期間経過後に前記文字情報の表示状態を解除する手段とを有するものである。このような構成により、２つの音声出力系統を１つにすることができると共に、音声出力が映像情報の音声へ切り換えられた後も一定期間字幕を表示させることができ、情報の欠落を防ぎユーザの快適な視聴を妨げない映像再生制御システムを提供することができる。
【発明の効果】
【００４０】
本発明により、情報の欠落を防ぎユーザの快適な視聴を妨げない映像再生制御システムを提供することができる。
【発明を実施するための最良の形態】
【００４１】
以下に、本発明を適用可能な実施の形態が説明される。以下の説明は、本発明の実施形態を説明するものであり、本発明が以下の実施形態に限定されるものではない。また、説明の明確化のため、以下の記載は、適宜、省略及び簡略化がなされている。又、当業者であれば、以下の実施形態の各要素を、本発明の範囲において容易に変更、追加、変換することが可能である。
【００４２】
実施の形態１
まず、図１を用いて本実施の形態にかかる映像再生制御システムの構造について説明する。図１によると、本実施の形態にかかる映像再生制御システムは主に３つの部分からなる。１つ目は音声に関係する部分であり、テレビやＤＶＤ等の映像情報の音声信号を入力する音声信号入力端子１０１、入力された音声信号の音量をコントロールする音量コントロール回路１０２、更に音声の消音を行う音声消音回路１０３およびスピーカー１０５へ音声を出力させる音声出力回路１０４からなる。
【００４３】
２つ目は映像に関連する部分であり、テレビやＤＶＤ等の映像信号入力端子１０６、多重化された文字信号を取得する文字信号抜取回路１０７、文字信号抜取回路１０７で抜き取った文字信号をデコードするデコーダ回路１０８、デコーダ回路１０８によりデコードした情報を実際に表示する信号に変換し、それを元の映像信号に合成する回路を含む表示回路１０９からなる。
【００４４】
３つ目は上記の各々の動作及び全体を制御する部分であり、消音の開始と終了及び字幕表示の開始と終了を別個に指示可能なイベント発生装置１１０、イベント発生装置１１０からの消音開始の指示を受けて音量コントロール回路１０２及び音声消音回路１０３を制御する音声消音開始回路１１１、イベント発生装置１１０からの消音終了の指示を受けて音量コントロール回路１０２及び音声消音回路１０３を制御する音声消音終了回路１１２、イベント発生装置１１０からの字幕表示に関する指示を受けてデコーダ回路１０８及び表示回路１０９を制御する字幕表示制御回路１１３からなる。
【００４５】
イベント発生装置１１０は消音と字幕を制御するタイミングを別個に出すことが可能なトリガである。２つそれぞれのトリガは物理的なスイッチでトリガを出す場合や、時間遅延等の論理回路によりトリガを出す場合や、電子的な命令によりトリガを出す場合等の組み合わせで行われる。
【００４６】
音声消音開始回路１１１及び音声消音終了回路１１２では、イベント発生装置１１０からの消音開始及び終了の指示を受けて、音量コントロール回路１０２及び音声消音回路１０３の動作を管理するものである。消音を実際に行う方式によって、音量コントロール回路１０２及び音声消音回路１０３の制御方法は様々である。字幕表示制御回路１１３は、イベント発生装置１１０からの指示を受けてデコーダ回路１０８、表示回路１０９にそれぞれ字幕情報のデコード開始、デコードした文字情報を映像信号に変換し、元の画面に合成する処理の開始を指示する。
【００４７】
図２は、上記処理により消音動作を開始して音声案内を行うまでの例をフローチャートにしたものである。図２によると、何らかのトリガによってイベント発生装置１１０から字幕表示制御回路１１３に字幕表示開始の指示が入ると（Ｓ１２１）、字幕表示制御回路１１３はデコーダ回路１０８に、文字信号抜取回路１０７で抜き取った文字信号のデコード開始を指示し、デコーダ回路１０８において文字信号のデコードが開始される（Ｓ１２２）。文字情報のデコード指示に続いて、字幕表示制御回路１１３は表示回路１０９に対して、デコーダ回路１０７によってデコードされた文字信号を文字映像信号へ変換すると共に、文字映像信号を元のテレビ画面に合成する処理の開始を指示し、表示回路１０９は文字信号のデコード及びデコードした文字信号を文字映像信号へ変換する処理を行うと共に、文字映像信号を元のテレビ画面に合成する処理を行う（Ｓ１２３）。
【００４８】
一方、消音開始指示は字幕表示開始指示とは別のタイミングで発生する。Ｓ１２３までで字幕表示を開始しつつ、何らかのトリガによってイベント発生装置１１０から消音開始指示が入ると（Ｓ１２４）、音声消音開始回路１１１は音量コントロール回路１０２に音量を最小にするように指示する（Ｓ１２５）。音量が最小になると、音声消音開始回路１１１は音声消音回路１０３に消音オンを指示し、音声消音回路１０３は消音を実行する（Ｓ１２６）。以上の動作により消音状態への移行が完了する。
【００４９】
ここで、Ｓ１２４において、字幕表示指示が入ってから一定時間経っても消音開始指示がこなかった場合、例外処理としてフェイルセーフ処理に移行し、字幕表示を終了する。このフェイルセーフ処理が行われる場合の例については後述する。フェイルセーフ処理に入ると、字幕表示制御回路１１３は表示回路１０９に、デコードされた文字信号を文字映像信号へ変換すると共に、文字映像信号を元のテレビ画面に合成する処理の終了を指示し、表示回路１０９はそれぞれの処理を終了する（Ｓ１２７）。更に字幕表示制御回路１１３はデコーダ回路１０８に対して、文字信号抜取回路１０７により抜き取られた文字信号のデコードの終了を指示し、デコーダ回路１０８はデコードを終了する（Ｓ１２８）。
【００５０】
図３は図２と同様の装置で消音状態から消音終了するまでの例をフローチャートにしたものである。図３によると、イベント発生装置１１０から音声消音終了回路１１２に対して消音終了指示が入ると（Ｓ１３１）、音声消音終了回路１１２は音声消音回路１０３に消音オフを指示し、音声消音回路１０３は消音をオフする（Ｓ１３２）。更に音声消音終了回路１１２は音量コントロール回路１０２に音量を元に戻すよう指示し、音量コントロール回路１０２は音量を元に戻す（Ｓ１３３）。
【００５１】
一方、字幕表示終了指示は音声消音終了指示とは別のタイミングで発生する。Ｓ１３３までで音声を元に戻しつつ、何らかのトリガによってイベント発生装置１１０から字幕表示制御回路１１３に字幕表示終了指示が入ると（Ｓ１３４）、字幕表示制御回路１１３は表示回路１０９に、デコードされた文字信号を文字映像信号へ変換すると共に、文字映像信号を元のテレビ画面に合成する処理の終了を指示し、表示回路１０９はそれぞれの処理を終了する（Ｓ１３５）。更に字幕表示制御回路１１３はデコーダ回路１０８に対して、文字信号抜取回路１０７により抜き取られた文字信号のデコードの終了を指示し、デコーダ回路１０８はデコードを終了する（Ｓ１３６）。
【００５２】
ここで、Ｓ１３４において、消音終了指示が入ってから一定時間経っても消音開始指示がこなかった場合、フェイルセーフ処理により自動的にＳ１３５に移行する。以上のような構成を有する映像再生制御システムを、ＤＶＤナビゲーションシステムを有する車載ＤＶＤプレーヤーを例として実際の動作について説明する。
【００５３】
今回の例では、図１のイベント発生装置１１０はＤＶＤナビゲーションシステムとなる。イベント発生装置１１０より音声消音開始回路１１１に消音開始指示を出すタイミングは、ナビゲーション機能が音声案内を開始する時点であり、イベント発生装置１１０より、音声消音終了回路１１２に音声消音終了指示を出すタイミングは、ナビゲーション機能が音声案内終了する時点である。また、イベント発生装置１１０より字幕表示制御回路１１３に字幕表示の開始及び終了を指示するタイミングは音声案内開始１０秒前及び１０秒後とする。ただし、音声案内の１０秒前は車の走る速度及び案内開始地点までの距離で算出するため、実際には厳密に１０秒間になるわけではない。
【００５４】
図１の映像再生制御システムにおいて、ナビゲーション機能が有効且つ同乗者がＤＶＤを聴視している状況で、曲がるべき交差点（以下交差点とする）を案内する音声案内のために消音を開始する動作について、図２のフローチャートに基づいて説明する。平均車速は５４ｋｍ／ｈで、ナビゲーションシステムは交差点の手前２００ｍからアナウンスを開始するものとする。
【００５５】
本実施形態では、ＤＶＤナビゲーションシステムは字幕表示を開始するタイミングを交差点の手前２００ｍよりさらに１０秒間の走行距離分（１５０ｍ）手前の地点、すなわち交差点の３５０ｍ手前に車が到達した時点であると計算する。すなわち当該車が交差点の手前３５０ｍに到達した時点でナビゲーションシステムは字幕表示開始の指示をする（Ｓ１２１）。Ｓ１２２及びＳ１２３については先述のように実行される。Ｓ１２３において字幕の表示が開始されると、当該車が交差点手前２００ｍに到達する前までは音声と字幕の両方から同じ情報が並行して得られる事になる。
【００５６】
当該車が交差点の手前２００ｍに到達した時点で、ナビゲーションシステムは消音開始を音声消音開始回路１１１に指示する（Ｓ１２４）。Ｓ１２５及びＳ１２６については先述のように実行され、Ｓ１２６で消音が完了した時点でナビゲーションシステムの音声案内が開始される。なお、ナビゲーションシステムが行う音声案内は、図１に示す本実施形態の装置とは別の装置によって行われるものとする。また、Ｓ１２４〜Ｓ１２７は十ミリ秒オーダーで実行されるため、ユーザにはナビゲーションによる音声案内が始まると同時にＤＶＤの消音が実行されたように感じられる。
【００５７】
Ｓ１２３を実行後、音声案内の始まる交差点手前２００ｍに到達する前に車を停止させたり、脇道やＵターン等により、案内開始時点に車が到達しない状態にするなどして、音声案内の行われない状態となった場合に字幕表示を消去するために先述のフェイルセーフ処理が行われる。フェイルセーフ処理の際に定められる一定時間とは当該システムの使用の状態によって変わるが、本実施形態では６０秒間とする。当該車が交差点手前３５０ｍに到達したのち、交差点手前２００ｍ地点に到達する前に車を停止させる等した場合には、画面上には６０秒間だけ字幕表示がなされるが、フェイルセーフ処理によりその後字幕表示は消去される。
【００５８】
上記と同様の状況について、ナビゲーションシステムによる音声案内が終了し消音状態を終了する動作について、図３のフローチャートを用いて説明する。ナビゲーションシステムの音声案内が終了した時点でナビゲーションシステムは音声消音終了回路１１２に音声消音終了を指示する（Ｓ１３１）。Ｓ１３２及びＳ１３３については先述の通り実行される。音声案内終了後１０秒経過した時点でナビゲーションシステムは字幕消去を指示する（Ｓ１３４）。Ｓ１３５及びＳ１３６は先述の通り実行される。なお、Ｓ１３３を実行後に字幕表示消去の指示がナビゲーションシステムの故障などにより受けとれない状態になった場合も、上述の通り一定時間後に自動的にＳ１３５に移行される。ここで言う一定時間とは当該システムの使用の状態によって変わるが、本実施形態では６０秒間とする。
【００５９】
図４は図１８と同じ映像情報について、本実施形態の消音開始する動作について示した図である。ここで図４（ｂ）に示す通り、ｔ３のタイミングで字幕表示が実行され、Ｔ３のタイミングで消音が実行された場合について検証する。図１８においてはＴ１で消音が実行されるだけであり、情報が欠落してしまったが、図４（ｂ）においてはｔ３のタイミングで字幕表示がなされるため、字幕により情報を補うことが可能であり、情報の欠落を防止している。
【００６０】
また、図５は図４と同様に図１９と同じコンテンツについて示した図である。Ｔ４のタイミングで消音を終了し、ｔ４のタイミングで字幕表示を終了する場合について検証する。図１９においてはＴ２で消音が解除されるだけであり、情報が欠落してしまったが、図５（ｂ）においてはｔ４のタイミングまで字幕表示を行っているので、字幕により情報を補うことが可能であり、情報の欠落を防止している。
【００６１】
以上説明したように、本発明の実施の形態１にかかる映像再生制御システムを用いると、情報の欠落を防ぎユーザの快適な視聴を妨げないことが可能となる。
【００６２】
実施の形態２
本実施の形態では、実施の形態１のような構成を有する映像再生制御システムの別の例として、字幕を高速に表示可能な装置について説明する。
【００６３】
字幕表示可能なＡＶ装置の代表はＤＶＤプレーヤー及び文字放送である。これらの装置は、実際には字幕のデコード開始が指示されてからすぐに字幕が表示されるわけではなく、字幕表示制御回路１１３に字幕表示を指示したのちしばらくは字幕が表示されない。これはデコーダ回路１０８による処理に起因するものである。この字幕が表示されない期間も情報の欠落を招く要因になり得る。迅速に表示を行うために、デコーダ回路１０８は常に動作させておき、表示回路１０９でのみ、字幕の表示を切り換える方法の例を説明する。なお、上記以外は実施の形態１と同様であるとする。
【００６４】
図６は本実施形態にかかる映像再生制御システムの構成例を表すブロック図である。実施の形態１との違いは字幕表示制御回路１１３からデコーダ回路１０８へデコード開始及び終了の指示を行わないことであり、デコーダ回路１０８では常に文字信号のデコードを行い続けることになる。
【００６５】
次に図７を用いて本実施形態にかかる映像再生制御システムの動作について説明する。図７は本実施例にかかる映像再生制御システムの動作例を表すフローチャートである。図７によると、何らかのトリガによってイベント発生装置１１０から字幕表示制御回路１１３に字幕表示開始の指示が入ると（Ｓ１４１）、字幕表示制御回路１１３は表示回路１０９に対して、デコーダ回路１０７によってデコードされた文字信号を文字映像信号へ変換すると共に、文字映像信号を元のテレビ画面に合成する処理の開始を指示し、表示回路１０９は文字信号のデコード及びデコードした文字信号を文字映像信号へ変換する処理を行うと共に、文字映像信号を元のテレビ画面に合成する処理を行う（Ｓ１４２）。
【００６６】
一方、消音開始指示は字幕表示開始指示とは別のタイミングで発生する。Ｓ１４２までで字幕表示を開始しつつ、何らかのトリガによってイベント発生装置１１０から消音開始指示が入ると（Ｓ１４３）、音声消音開始回路１１１は音量コントロール回路１０２に音量を最小にするように指示する（Ｓ１４４）。音量が最小になると、音声消音開始回路１１１は音声消音回路１０３に消音オンを指示し、音声消音回路１０３は消音を実行する（Ｓ１４５）。以上の動作により消音状態への移行が完了する。
【００６７】
ここで、Ｓ１４３において、字幕表示指示が入ってから一定時間経っても消音開始指示がこなかった場合、例外処理としてフェイルセーフ処理に移行し、字幕表示を終了する。フェイルセーフ処理に入ると、字幕表示制御回路１１３は表示回路１０９に、デコードされた文字信号を文字映像信号へ変換すると共に、文字映像信号を元のテレビ画面に合成する処理の終了を指示し、表示回路１０９はそれぞれの処理を終了する（Ｓ１４７）。以上の処理で字幕表示が終了する。
【００６８】
図８は本実施形態において消音状態から消音終了するまでの例をフローチャートにしたものである。図８によると、イベント発生装置１１０から音声消音終了回路１１２に対して消音終了指示が入ると（Ｓ１５１）、音声消音終了回路１１２は音声消音回路１０３に消音オフを指示し、音声消音回路１０３は消音をオフする（Ｓ１５２）。更に音声消音終了回路１１２は音量コントロール回路１０２に音量を元に戻すよう指示し、音量コントロール回路１０２は音量を元に戻す（Ｓ１５３）。
【００６９】
一方、字幕表示終了指示は音声消音終了指示とは別のタイミングで発生する。Ｓ１３３までで音声を元に戻しつつ、何らかのトリガによってイベント発生装置１１０から字幕表示制御回路１１３に字幕表示終了指示が入ると（Ｓ１５４）、字幕表示制御回路１１３は表示回路１０９に、デコードされた文字信号を文字映像信号へ変換すると共に、文字映像信号を元のテレビ画面に合成する処理の終了を指示し、表示回路１０９はそれぞれの処理を終了する（Ｓ１５５）。以上の動作により消音状態の解除が行われる。
【００７０】
ここで、Ｓ１５４において、消音終了指示が入ってから一定時間経っても消音開始指示がこなかった場合、フェイルセーフ処理によって自動的にＳ１５５に移行する。このように、デコーダ回路１０７を常に動作させておくことによって、イベント発生装置１１０が字幕表示開始指示又は終了指示を出してから実際に字幕が表示又は表示終了されるまでの遅延を無くし、情報の欠落を更に防ぐ映像再生制御システムを提供することができる。
【００７１】
実施の形態３
本実施の形態では、実施の形態１のような構成を有する映像再生制御システムの別の例として、鉄道もしくは航空機の個人用モニタに映画を放映し、完全には消音しない場合を例として図９を用いて説明する。本実施例の場合、特に鉄道の場合では、自分が降りない駅での音声案内は不要なので、元の音声を低減した音量で流しておくことにより、耳から入ってくる音声を取捨選択できるというメリットがある。
【００７２】
図９は本実施形態にかかる映像再生制御システムの構成を表すブロック図である。音声消音回路１０３が無い以外は図１の構成及び機能と同様である。すなわち音声消音開始回路１１１から音声消音回路１０３へ音声消音オンの指示及び音声消音終了回路１１２から追い音声消音回路１０３へ音声消音オフの指示は行われない。
【００７３】
今回の例では、イベント発生装置１１０は乗務員による車内又は機内案内装置となる。イベント発生装置１１０より音声消音開始回路１１１に消音開始指示を出すタイミングは、乗務員が案内用マイクロホンの通話スイッチをオンする時点である。ただし、実施形態１又は２とは違い、音声消音開始回路１１１は音量コントロール回路１０２に音量の低減を指示するだけであり音声消音オンの指示は行わない。また、イベント発生装置１１０より、音声消音終了回路１１２に音声消音終了指示を出すタイミングは、乗務員が案内用マイクロホンの通話スイッチをオフした時点である。また、イベント発生装置１１０より字幕表示制御回路１１３に字幕表示の開始及び終了を指示するタイミングは乗務員が案内用マイクロホンを所定の位置から外した（持ち上げた）こと及び戻したことを検出したタイミングである。
【００７４】
図１０は、本実施形態において消音動作を開始して音声案内を行うまでの例をフローチャートにしたものである。図１０によると、乗務員が案内用マイクロホンを所定の場所から外した時点で、イベント発生装置１１０から字幕表示制御回路１１３に字幕表示開始の指示が入る（Ｓ１６１）。字幕表示開始指示が入ると、字幕表示制御回路１１３はデコーダ回路１０８に文字信号抜取回路１０７で抜き取った文字信号のデコード開始を指示し、デコーダ回路１０８において文字信号のデコードが開始される（Ｓ１６２）。文字情報のデコード指示に続いて、字幕表示制御回路１１３は表示回路１０９に対して、デコーダ回路１０７によってデコードされた文字信号を文字映像信号へ変換すると共に、文字映像信号を元のテレビ画面に合成する処理の開始を指示し、表示回路１０９は文字信号のデコード及びデコードした文字信号を文字映像信号へ変換する処理を行うと共に、文字映像信号を元のテレビ画面に合成する処理を行う（Ｓ１６３）。
【００７５】
一方、消音開始指示は字幕表示開始指示とは別のタイミングで発生する。Ｓ１２３までで字幕表示を開始しつつ、乗務員が案内用マイクロホンの通話スイッチをオンした時点でイベント発生装置１１０から音声消音開始回路１１１に消音開始指示が入る（Ｓ１６４）。消音開始指示が入ると、音声消音開始回路１１１は音量コントロール回路１０２に音量を低減するように指示する（Ｓ１６５）。ここで実施形態１又は２と違うのは、音量を最小にするのではなく、小音量に低減するということである。以上の動作により車内又は機内案内時用の小音量状態への移行が完了する。
【００７６】
なお、振動などで偶然マイクロホンが所定の位置から外れるなどした場合は、字幕表示を消去する必要がある。この場合Ｓ１６６及びＳ１６７において実施形態１のＳ１２７及びＳ１２８と同じフェイルセーフ処理を行う。
【００７７】
また本実施形態において消音状態から消音終了するまでの動作について、図１１のフローチャートを用いて説明する。すなわち、乗務員が案内用マイクロホンの通話スイッチをオフすることによりイベント発生装置１１０から音声消音終了回路１１２に対して消音終了指示が入る（Ｓ１７１）。消音終了指示を受け取った音声消音終了回路１１２は音量コントロール回路１０２に音量を元に戻すよう指示し、音量コントロール回路１０２は音量を元に戻す（Ｓ１７２）。
【００７８】
一方、字幕表示終了指示は音声消音終了指示とは別のタイミングで発生する。Ｓ１７２までで音声を元に戻しつつ、乗務員が案内用マイクロホンを所定の場所に戻した時点でイベント発生装置１１０から字幕表示制御回路１１３に字幕表示終了指示が入ると（Ｓ１７３）、字幕表示制御回路１１３は表示回路１０９に、デコードされた文字信号を文字映像信号へ変換すると共に、文字映像信号を元のテレビ画面に合成する処理の終了を指示し、表示回路１０９はそれぞれの処理を終了する（Ｓ１７４）。更に字幕表示制御回路１１３はデコーダ回路１０８に対して、文字信号抜取回路１０７により抜き取られた文字信号のデコードの終了を指示し、デコーダ回路１０８はデコードを終了する（Ｓ１７５）。
【００７９】
ここで、Ｓ１７３において案内用マイクロホンがしっかりと所定の場所に収まっていなかったり、所定の場所に収めるのを忘れたりした場合には、フェイルセーフ処理により自動的にＳ１７４に移行する。本実施形態において、実施形態２のように常にデコーダ回路１０８を動作させておく構成を適用してもよい。
【００８０】
以上説明したように、本実施形態にかかる映像再生制御システムでは、完全に消音するのではなく音量を低減することによって元の音声情報と、鉄道もしくは飛行機等の音声案内とを同時に流すことが可能となる。
【００８１】
実施の形態４
本実施形態では、実施形態１のような構成を有する映像再生制御システムの別の例として、ＤＶＤナビゲーション装置を有する車載ＤＶＤプレーヤーを例として、実際の動作について説明する。実施形態１との違いは音声出力回路をＤＶＤナビゲーション装置と車載ＤＶＤプレーヤーとで共有する点である。ＤＶＤナビゲーションシステムとＤＶＤプレーヤーが一体となった機種ではナビゲーションシステムによる音声案内の出力回路をＤＶＤプレーヤーの音声出力回路と共用する場合があるが、この場合では実施例１とは異なる手順で消音を行なう必要があるため、その例について説明する。
【００８２】
図１２は本実施形態にかかる映像再生制御システムの構造を表すブロック図である。図１と同じ符号を付した部分に関しては同じ機能を有するものとし、説明を省略する。ナビゲーションシステムによる音声案内は入力端子１１４に入力される。入力端子１１４からの音声信号と入力端子１０１からの音声信号を音声切換回路１１５で切り換えて出力する。
【００８３】
本実施形態では音声消音開始回路１１１又は音声消音終了回路１１２からの消音オン又はオフの支持を受け、音声切換回路１１５において入力端子１０１及び入力端子１１４のどちらからの信号を選択するかを切り換える。
【００８４】
ＤＶＤプレーヤーの音声と、ＤＶＤナビゲーションシステムの音声を切り換える動作について、図１３のフローチャートを用いて説明する。図１３のＳ１８１からＳ１８５までは図２のＳ１２１からＳ１２５までと同じなので説明を省略する。Ｓ１８５において音量を最小まで減少させたのち、音声消音開始回路１１１は音声切換回路１１５に切換指示を出し、音声切換回路１１５はＤＶＤナビゲーションシステムの音声案内の信号である入力端子１１４の方へ接続を切り換える（Ｓ１８６）。こうして音声案内がスピーカー１０５から出力される。
【００８５】
図１４は本実施形態において消音状態から消音終了するまでの例をフローチャートにしたものである。図１４によると、ナビゲーションシステムの音声案内が終了した時点でナビゲーションシステムは消音終了を音声消音終了回路１１２に音声消音終了を指示する（Ｓ１９１）。すると音声消音終了回路１１２は音声切換回路１１５に音声切換を指示し、音声切換回路１１５は音声入力をＤＶＤプレーヤーからの入力に切り換える（Ｓ１９２）。更に音声消音終了回路１１２は音量コントロール回路１０２に音量を元に戻すよう指示し、音量コントロール回路１０２は音量を元に戻す（Ｓ１９３）。Ｓ１９４からＳ１９７までの動作については実施形態１と同様に実行される。また、フェイルセーフ処理についても実施形態１と同様である。
【００８６】
以上説明したように、本実施形態にかかる映像再生制御システムでは、ＤＶＤナビゲーション装置とＤＶＤプレーヤーの音声出力回路を共有する事により、装置の小型化を図ることができる。
【図面の簡単な説明】
【００８７】
【図１】本発明の実施の形態１にかかる映像再生制御システムの構成を表すブロック図である。
【図２】本発明の実施の形態１にかかる消音開始動作を表すフローチャートである。
【図３】本発明の実施の形態１にかかる消音終了動作を表すフローチャートである。
【図４】本発明の実施の形態１にかかる消音開始動作のタイミングチャートである。
【図５】本発明の実施の形態１にかかる消音終了動作のタイミングチャートである。
【図６】本発明の実施の形態２にかかる映像再生制御システムの構成を表すブロック図である。
【図７】本発明の実施の形態２にかかる消音開始動作を表すフローチャートである。
【図８】本発明の実施の形態２にかかる消音終了動作を表すフローチャートである。
【図９】本発明の実施の形態３にかかる映像再生制御システムの構成を表すブロック図である。
【図１０】本発明の実施の形態３にかかる消音開始動作を表すフローチャートである。
【図１１】本発明の実施の形態３にかかる消音終了動作を表すフローチャートである。
【図１２】半発明の実施の形態４にかかる映像再生制御システムの構成を表すブロック図である。
【図１３】本発明の実施の形態４にかかる消音開始動作を表すフローチャートである。
【図１４】本発明の実施の形態４にかかる消音終了動作を表すフローチャートである。
【図１５】従来技術における多重放送受信装置の構成を表すブロック図である
【図１６】従来技術における消音開始動作を表すフローチャートである。
【図１７】従来技術における消音終了動作を表すフローチャートである。
【図１８】従来技術における消音開始動作のタイミングチャートである。
【図１９】従来技術における消音終了動作のタイミングチャートである。
【符号の説明】
【００８８】
１  音声信号入力端子、２ａ  音量コントロール回路、２ｂ  音声消音回路、
２  音声信号処理回路、３  音声出力回路、４  スピーカー、５  映像信号入力端子、
６  文字信号抜取回路、７  デコーダ回路、８  表示回路、９  スーパーインポーズ回路
１０  操作部、１１  音声制御回路、１２  消音検出回路、１３  字幕制御回路、
１０１  音声信号入力端子、１０２  音量コントロール回路、１０３  音声消音回路、
１０４  音声出力回路、１０５  スピーカー、１０６  映像信号入力端子、
１０７  文字信号抜取回路、１０８  デコーダ回路、１０９  表示回路、
１１０  イベント発生装置、１１１  音声消音開始回路、１１２  音声消音終了回路、
１１３  字幕表示制御回路、１１４  入力端子、１１５  音声切換回路、
Ｔ１  タイミング、Ｔ２  タイミング
【図１】
2006019783.tif 000003
【図２】
2006019783.tif 000004
【図３】
2006019783.tif 000005
【図４】
2006019783.tif 000006
【図５】
2006019783.tif 000007
【図６】
2006019783.tif 000008
【図７】
2006019783.tif 000009
【図８】
2006019783.tif 000010
【図９】
2006019783.tif 000011
【図１０】
2006019783.tif 000012
【図１１】
2006019783.tif 000013
【図１２】
2006019783.tif 000014
【図１３】
2006019783.tif 000015
【図１４】
2006019783.tif 000016
【図１５】
2006019783.tif 000017
【図１６】
2006019783.tif 000018
【図１７】
2006019783.tif 000019
【図１８】
2006019783.tif 000020
【図１９】
2006019783.tif 000021